(57)【特許請求の範囲】
【請求項１】
複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、
前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、
被記録媒体の前記同一領域の画像を完成させるための走査の回数が同一の複数の記録モードであって、前記記録ヘッドに配列される前記複数の記録素子のうち画像の記録に使用する記録素子の範囲が異なる複数の記録モードから、前記記録制御手段による画像の記録に適用する記録モードを選択する選択手段と、を有し、
前記複数の記録モードは、画像の記録に使用する前記記録素子の数が同一の記録モードのみであることを特徴とする記録装置。
【請求項２】
複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、
前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、
被記録媒体の前記同一領域の画像を完成させるための走査の回数が同一の複数の記録モードであって、前記同一領域の画像を完成させる複数回の走査の間に行う複数回の搬送量の組み合わせが異なる複数の記録モードから、前記記録制御手段による画像の記録に適用する記録モードを選択する選択手段と、を有し、
前記複数の記録モードは、画像の記録に使用する前記記録素子の数が同一の記録モードのみであることを特徴とする記録装置。
【請求項３】
前記選択手段は、複数の前記記録モードにより、画像品位をチェックするためのチェックパターンを記録したことに伴う使用者の選択に従い、適用する記録モードを選択することを特徴とする請求項１または２に記載の記録装置。
【請求項４】
複数の前記記録モードにより、画像品位をチェックするためのチェックパターンを記録した結果を読み取る読取手段をさらに有し、
前記選択手段は、前記読取手段による読み取りの結果に従って適用する記録モードを選択することを特徴とする請求項１または２に記載の記録装置。
【請求項５】
前記チェックパターンは、５０〜１２．５％の記録濃度を示す記録画像であることを特徴とする請求項３または４に記載の記録装置。
【請求項６】
前記記録ヘッドは、インクを吐出する吐出口を有し、吐出したインクにより画像を記録することを特徴とする請求項１から５のいずれかに記載の記録装置。
【請求項７】
複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、
被記録媒体の前記同一領域の画像を完成させるための走査の回数が同一の複数の記録モードであって、前記記録ヘッドに配列される前記複数の記録素子のうち画像の記録に使用する記録素子の範囲が異なる複数の記録モードから、画像の記録に適用する記録モードを選択する選択工程と、
前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、
前記複数の記録モードは、画像の記録に使用する前記記録素子の数が同一の記録モードのみであることを特徴とする記録方法。
【請求項８】
複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、
被記録媒体の前記同一領域の画像を完成させるための走査の回数が同一の複数の記録モードであって、前記同一領域の画像を完成させる複数回の走査の間に行う複数回の搬送量の組み合わせが異なる複数の記録モードから、画像の記録に適用する記録モードを選択する選択工程と、
前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、
前記複数の記録モードは、画像の記録に使用する前記記録素子の数が同一の記録モードのみであることを特徴とする記録方法。
【発明の詳細な説明】
【０００１】
【発明の属する技術分野】
本発明は、特に、インクジェット記録方式として好適な記録装置および記録方法に関するものである。
【０００２】
【従来の技術】
近年、マルチメディアの普及等により、高精細な記録画像の出力が求められている。それを実現する記録方式の１つとしてインクジュト記録方式があり、高精細画像実現のために、記録装置の記録密度を高密度化したり、シリアルスキャン方式における１つの行の記録を複数のキャリッジ走査（パス）によって完成させるマルチパス記録等が行われている。つまり、シリアルスキャン方式においては、記録ヘッドを被記録媒体の同一記録領域に対して複数回走査させ、かつ各走査において間引きパターンにしたがって間引き画像を形成することによって、被記録媒体に画像を完成させることになる。
【０００３】
しかしながら、記録密度の高密度化は、記録ドットを形成するインク滴の着弾精度に対する要求が厳しくなり、記録ヘッドの製造歩留まりが低下するという問題がある。また、マルチパス記録は、記録ヘッドから吐出されるインク滴の着弾位置のずれや、記録装置の紙送りずれ等によって生じる記録画像上におけるスジや濃度ムラ等を目立たなくする効果は大きいが、記録速度が低下してしまうという問題がある。
【０００４】
ところで、マルチパス記録時においては、記録ヘッドの全ノズルを使用しない場合も多い。例えば、全８０ノズルの記録ヘッドを用いて、３パス記録を行った場合、つまり１つの行の記録を記録ヘッドの３回の走査によって完成させるマルチパス記録方式を採用した場合には、記録ヘッドの使用ノズルを７２ノズル（＝２４ノズル×３パス）とすることが考えられ、全８０ノズル中の８ノズルは使用されないことになる。その場合、同じ記録ヘッドを用いたとしても、全８０ノズルの内のどのノズルを使用するかによって、画像品位に差が生じることがある。その理由は、記録ヘッドから吐出されるインク滴の着弾精度は、全ノズルにおいて均一ではないために、着弾精度の良いノズル部分を使用した場合と、着弾精度の悪いノズル部分を使用した場合との間において、記録画像の品位に差が出るからである。また、記録ヘッドにおける着弾精度のノズル分布は記録ヘッドにより異なるため、どのノズル部分を使用したら画像品位が良いかということも記録ヘッドにより異なる。ところが、記録装置により使用するノズル部分が固定されているため、最適な条件で記録できる記録ヘッドは１部のみとなる。さらに、記録装置における用紙（被記録媒体）の紙送り量等、記録装置毎の機能のバラツキによっても画像品位が変化するため、それぞれの記録ヘッド毎および記録装置毎に最適な記録モードは異なる。
【０００５】
また、記録ドットを形成するインク滴の着弾位置は、記録ヘッドの使用中において常に安定しているわけではなく、一般的に、その着弾位置は多少変化する。このような着弾位置の変化は、記録密度の低い画像や文字等の記録では分からなくても、高精細な画像を記録したときには記録品位の変化を招きやすい。
【０００６】
【発明が解決しようとする課題】
従来、高精細な記録画像に対応するための手段の１つとしてのマルチパス記録においては、予め、記録装置のマルチパス記録の記録モードが決定されているため、記録ヘッドによっては必ずしも最適な使用条件とはならない。そのため、最適な使用条件に比べて、記録品位の悪化を招く使用条件により記録動作することになり、記録ヘッドの性能を充分に生かしきれないという問題があった。また、記録ドットを形成するインク滴の着弾精度に対する厳しい要求に伴なって、記録ヘッドの製造歩留まりが低下するという問題があった。
【０００７】
本発明の目的は、マルチパス記録の最適な記録モードに基づいて、高品位の画像を記録することができ、しかも記録ヘッドの製造の歩留まりを向上させることができる記録装置および記録方法を提供することにある。
【０００８】
【課題を解決するための手段】
本発明の記録装置は、複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、被記録媒体の前記同一領域の画像を完成させるための走査の回数が同一の複数の記録モードであって、前記記録ヘッドに配列される前記複数の記録素子のうち画像の記録に使用する記録素子の範囲が異なる複数の記録モードから、前記記録制御手段による画像の記録に適用する記録モードを選択する選択手段と、を有し、前記複数の記録モードは、画像の記録に使用する前記記録素子の数が同一の記録モードのみであることを特徴とする。
本発明の記録装置は、複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、被記録媒体の前記同一領域の画像を完成させるための走査の回数が同一の複数の記録モードであって、前記同一領域の画像を完成させる複数回の走査の間に行う複数回の搬送量の組み合わせが異なる複数の記録モードから、前記記録制御手段による画像の記録に適用する記録モードを選択する選択手段と、を有し、前記複数の記録モードは、画像の記録に使用する前記記録素子の数が同一の記録モードのみであることを特徴とする。
【０００９】
本発明の記録方法は、複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、被記録媒体の前記同一領域の画像を完成させるための走査の回数が同一の複数の記録モードであって、前記記録ヘッドに配列される前記複数の記録素子のうち画像の記録に使用する記録素子の範囲が異なる複数の記録モードから、画像の記録に適用する記録モードを選択する選択工程と、前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、前記複数の記録モードは、画像の記録に使用する前記記録素子の数が同一の記録モードのみであることを特徴とする。
本発明の記録方法は、複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、被記録媒体の前記同一領域の画像を完成させるための走査の回数が同一の複数の記録モードであって、前記同一領域の画像を完成させる複数回の走査の間に行う複数回の搬送量の組み合わせが異なる複数の記録モードから、画像の記録に適用する記録モードを選択する選択工程と、前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、前記複数の記録モードは、画像の記録に使用する前記記録素子の数が同一の記録モードのみであることを特徴とする。
【００１０】
【発明の実施の形態】
以下、本発明の実施形態を図面に基づいて説明する。
【００１１】
（基本構成）
まず、本発明の基本構成を図６から図８により説明する。
【００１２】
図７は、本発明を適用可能な記録ヘッドの分解斜視図である。本例の記録ヘッド１０において、１１は複数の液路壁１２が形成された基板、１３は天板、１４は複数のノズルを構成する複数の吐出口、１５は複数の吐出口１４のそれぞれに連通する複数の流路、１６は複数の流路１５に共通に連通する共通液室である。画像記録用のインクは、図示しないインク供給部から供給管１７を通して共通液室１６内に供給される。共通液室１６内のインクは、毛管現象により流路１５内に供給され、その流路１５の先端の吐出口１４にてメニスカスを形成することにより、安定に保持される。流路１５内のそれぞれには、発熱素子（電気熱変換体）１８が備えられている。配線１９を通して発熱素子１８に通電して、その発熱素子１８から熱エネルギーを発生させることにより、流路１５内のインクが加熱されて膜沸騰により発泡し、そのときの発泡エネルギーによって吐出口１４からインク滴が吐出される。吐出口１４を４００ｄｐｉなどの高密度に配置することによって、マルチノズルのインクジェット方式の記録ヘッド１０が構成される。
【００１３】
図８は、本発明を適用可能な記録装置の概略構成を説明するための斜視図である。本例の記録装置５０はシリアルスキャン方式の記録装置であり、ガイド軸５１，５２によって、キャリッジ５３が矢印Ａの主走査方向に移動自在にガイドされている。キャリッジ５３は、キャリッジモータおよびその駆動力を伝達するベルト等の駆動力伝達機構により、主走査方向に往復動される。キャリッジ５３には、記録ヘッド１０（図８おいては不図示）と、その記録ヘッド１０にインクを供給するインクタンク５４が搭載される。記録ヘッド１０とインクタンク５４は、インクジェットカートリッジを構成するものであってもよい。被記録媒体としての用紙Ｐは、装置の前端部に設けられた挿入口５５から挿入された後、その搬送方向が反転されてから、送りローラ５６によって矢印Ｂの副走査方向に搬送される。記録装置５０は、記録ヘッド１０を主走査方向に移動させつつ、プラテン５７上の用紙Ｐのプリント領域に向かってインクを吐出させる記録動作と、その記録幅に対応する距離だけ用紙Ｐを副走査方向に搬送する搬送動作と、を繰り返すことによって、用紙Ｐ上に順次画像を記録する。
【００１４】
キャリッジ５３の移動領域における図８中左端の定位置（ホームポジション）には、キャリッジ５３に搭載された記録ヘッド１０の吐出口１５の形成面と対向する回復系ユニット（回復処理手段）５８が設けられている。回復系ユニット５８には、記録ヘッド１０の吐出口１５のキャッピングが可能なキャップと、そのキャップ内に負圧を導入可能な吸引ポンプなどが備えられており、吐出口１５を覆ったキャップ内に負圧を導入することにより、吐出口１５からインクを吸引排出させて、記録ヘッド１０の良好なインク吐出状態を維持すべく回復処理（「吸引回復処理」ともいう）をする。また、キャップ内に向かって、吐出口１５から画像の寄与しないインクを吐出させることによって、記録ヘッド１０の良好なインク吐出状態を維持すべく回復処理（「吐出回復処理」ともいう）をすることもできる。
【００１５】
図９は、本発明を適用可能な記録装置の制御系の概略ブロック構成図である。
図９において、ＣＰＵ１００は、本記録装置の動作の制御処理やデータ処理等を実行する。ＲＯＭ１０１は、それらの処理手順等のプログラムが格納され、またＲＡＭ１０２は、それらの処理を実行するためのワークエリアなどとして用いられる。記録ヘッド１０からのインクの吐出は、ＣＰＵ１００が発熱素子１９の駆動データ（記録データ）および駆動制御信号（ヒートパルス信号）をヘッドドライバ１０Ａに供給することにより行われる。ＣＰＵ１００は、キャリッジ５３を主走査方向に駆動するためのキャリッジモータ１０３をモータドライバ１０３Ａを介して制御し、また用紙Ｐを副走査方向に搬送するためのＰ．Ｆモータ１０４をモータドライバ１０４Ａを介して制御する。さらにＣＰＵ１００は、ホスト装置２００から画像データを入力すると共に、ホスト装置２００からの指示にしたがって、後述するヘッド交換処理および記録モードの設定処理をする。
【００１６】
（第１の実施形態）
図１は、本発明を適用した記録ヘッドの交換シーケンスの説明図である。本例におけるヘッド交換シーケンスは、“ヘッドの交換処理”と‘記録モードの設定処理”の２つの動作に大別される。この交換シーケンスは、記録装置５０の使用者がホストコンピュータ（ホスト装置）２００の画面上などにおけるヘッド交換キーを押した時点からスタートする。そして、まず始めにヘッド交換処理が行われる。そのヘッド交換処理においては、記録ヘッド１０がキャリッジ５３と共に所定のヘッド交換位置へ移動し(ステップＳ１)、使用者がキャリッジ５３上の記録ヘッド１０の交換作業を行う(ステップＳ２)。そして、交換終了キーを入力することにより(ステップＳ３)、記録ヘッド１０が回復系ユニット５８の位置するホームポジションに移動し、その回復系ユニット５８によって前述した回復処理（本例においては、吸引回復処理）が行われる(ステップＳ４)。その後、引き続いて記録モードの設定処理を開始する。
【００１７】
本例では、ステップＳ１〜Ｓ４のヘッド交換処理に連続して、記録モードの設定処理を行う。しかし、ホストコンピュータ２００の画面上に、記録モードの設定を開始する表示を行い、そして使用者からの開始のキー入力を待ってからヘッド交換処理を開始するようにしてもよい。
【００１８】
記録モードの設定処理においては、後述するチェックパターンの記録を行ってから（ステップＳ５）、記録モードの入カ待ちとなる。そして、後述するように、使用者がチェックパターンの記録結果物を見て、最適な記録品位のモードをホストコンピュータ上から入力することにより（ステップＳ６）、記録モードが設定されて（ステップＳ７）、図１のシーケンスが終了する。
【００１９】
図２および図３は、図１中のステップＳ５におけるチェックパターン記録の一例の説明図である。
【００２０】
本例の記録装置５０は、イエロー（Ｙ）、マゼンタ（Ｍ）、シアン（Ｃ）、プラック（Ｂｋ）の計４色のインクを吐出するための記録ヘッド１０を備えている。図２（ａ），（ｂ）は、チェックパターンの形成例の説明図であり、同図（ａ）は、Ｙ，Ｍ，Ｃ，Ｂｋのインクによって単色のチェックパターンを並べて記録する例である。同図（ｂ）は、同図（ａ）のチェックパターンに加えて、２つのインクを重ね合わせたレッド（Ｒ）、グリーン（Ｇ）、ブルー（Ｂ）、および３つのインクを重ね合わせたプロセスプラッグ（ＰＢ）のチェックパターンを並べて記録した例である。
【００２１】
図３は、図２（ａ），（ｂ）における各色毎のチェックパターンの詳細説明図である。つまり、図２（ａ），（ｂ）における各色毎のチェックパターンのそれぞれは、図３（ａ），（ｂ）のようなパターンとして記録される。図３（ａ）は、記録濃度が５０％、２５％、１２．５％の記録部を並べて記録する例であり、図３（ｂ）は、記録濃度を１００％から０％まで連続的に変化させて記録する例である。本発明者の検討結果によれば、マルチパス記録による画像のチェックパターンとして、５０〜１２．５％程度の記録濃度の部分が良好であった。チェックパターンとしては、この他にも人の肌の色等、スジや濃度ムラが目立ちやすいパターンであればどのようなパターンであってもよい。
【００２２】
次に、記録モードについて表１および図４を用いて説明する。
【００２３】
まず、記録モードＡおよびＢについて説明する。本例の場合、記録ヘッド１０におけるノズル数は８０ノズルであり、その全８０ノズルの内の７２ノズルを使用して、３パス記録を行った。記録モードＡ，Ｂにおいては、使用する７２ノズルの位置が異なる。記録モードＡは、１〜７２番目の位置の第１〜第７２ノズルを使用し、記録モードＢは、９〜８０番目の位置の第９〜第８０ノズルを使用する。これらの記録モードＡ，Ｂにおける使用ノズルと各パスとの関係を図４（ａ），（ｂ）に示す。図４（ａ），（ｂ）においては、矢印Ｂ方向に搬送される用紙（被記録媒体）Ｐに対して、記録ヘッド１０が矢印Ｂの逆方向に相対移動するものとして表している。
【００２４】
図４（ａ），（ｂ）における記録モードＡ，Ｂは、下表１の記録モードＡ，Ｂに対応している。
【００２５】
【表１】
0004646445.tif 000002
【００２６】
図４（ａ）の記録モードＡにおいては、第１〜第７２ノズルが使用ノズル、第７３〜第８０ノズルが不使用ノズルとなり、また、図４（ｂ）の記録モードＢにおいては、第９〜第８０ノズルが使用ノズル、第１〜第８ノズルが不使用ノズルとなる。また、図４（ａ），（ｂ）においては、全８０ノズルを第１〜第８，第９〜第１６、…、第７３〜第８０の８ノズルずつの８ブロックに分け表している。また、図４（ａ），（ｂ）においては、図中の左から順に、第１パス時のノズル位置、それから２４ノズル分の紙送り後の第２パス時のノズル位置、それから２４ノズル分の紙送り後の第３パス時のノズル位置、それから２４ノズル分の紙送り後の２回目の第１パス時のノズル位置を示す。
【００２７】
図４（ａ），（ｂ）から分かるように、記録モードＡ，Ｂ共に、第１，第２，および第３パス時において同図中の左右方向の同一直線上に並ぶノズル（例えば、第１，第２５，第４９ノズル）は同じであり、使用ノズルが異なるだけである。したがって、記録モードＡ，Ｂにおいては、使用ノズルが異なる以外は全く同じ動作をすることになり、どちらの記録モードであっても記録時間は同じである。
【００２８】
しかしながら、前述したように、記録ヘッドから吐出されるインク滴の着弾精度は全ノズル均一ではないため、着弾精度の良いノズル部分を使用した場合と、着弾精度の悪いノズル部分を使用した場合において、記録品位に差が生じる。例えば、第１〜第８ノズルと第７３〜第８０ノズルとの比較において、第１〜第８ノズルの方がインク滴の着弾精度が良い場合には、記録モードＡによる記録の方が記録品位が良くなり、逆に、第７３〜第８０ノズルの方がインク滴の着弾精度が良い場合には、記録モードＢによる記録の方が記録品位が良くなる。
【００２９】
本例においては、記録モードＡ，Ｂの選定に当たって、まず、図２（ａ）または（ｂ）のようなチェックパターンを記録モードＡおよびＢのそれぞれによって記録する（図１中のステップＳ５）。そして、その記録結果を見て、使用者が良好な記録モードを選択して（図１中のステップＳ６）、その記録モードを設定する（図１中のステップＳ７）。記録装置は、このようにして設定された良好な記録モードにより、高品位の画像を記録することができる。
【００３０】
また、記録モードＡ，Ｂの他に、例えば、５〜７６ノズルを使用ノズルとする記録モード等を加えて、３つ以上の記録モードの中から、最適な記録モードを選択するようにすることも可能である。また、このようなマルチパス記録において使用されなかった非使用ノズルは、文章などを１パス記録するときには使用されることになる。このような１パス記録においては、それほど高品位が要求されないため、マルチパス記録よりもインク滴の着弾精度が多少悪くても問題はない。
【００３１】
以上のように、本例によれば、記録時間等に差を生じることなく、記録装置の使用者が感じる記録動作を全く同一としたまま、より良好な記録モードによって高品位の画像を記録することができる。また、記録ヘッドの製造時の検査においては、マルチパスの複数の記録モードのいずれかにおいて良好な記録ができるものであれば良品とすることができ、記録ヘッドの製造歩留まりが向上して、製造コストを低減することができる。
【００３２】
（第２の実施形態）
下表１および図５は、本例の記録モードＣ，Ｄの説明図である。
【００３３】
本例の場合、記録ヘッド１０におけるノズル数は８０ノズルであり、その全８０ノズルを使用して４パス記録を行った。記録モードＡ，Ｂにおいては、各パスにおける紙送り量が異なる。
【００３４】
【表２】
0004646445.tif 000003
【００３５】
記録モードＣにおいては、４回の記録パスの全てにおいて、２０ノズル分ずつの紙送りを行う。一方、記録モードＤにおいては、第１パス記録後は１６ノズル分の紙送り、第２パス記録後は２４ノズル分の紙送り、第３パス記録後は１６ノズル分の紙送り、そして第４パス記録後は２４ノズル分の紙送りを行ってから、次の２回目の第１パス記録を行う。このような記録モードＣ，Ｄにおいて、図５中の左右方向の同一線上に並ぶノズルは異なる。例えば、記録モードＣにおいて第１ノズルと並ぶノズルは、第２１，第４１，第６１ノズルとなり、一方、記録モードＤにおいて第１ノズルと並ぶノズルは、第１７，第４１，第５７ノズル、または第２５，第４１，第６５ノズルとなる。
【００３６】
ところで、記録品位を悪化させる要因としてのスジは、図５中左右方向の同一直線上およびその隣接位置のドットを形成するインク滴の着弾位置の影響が大きい。図６において、格子の交点はインク滴の理想着弾点であり、白丸が実際に着弾したインク滴によって形成されたドットの位置である。図６（ａ）は、記録モードＣによりドットを形成した場合の一例であり、第１，第２１，第４１，第６１ノズルによって形成されるドットＤ１，Ｄ２１，Ｄ４１，Ｄ６１と、それに隣接するドットとの関係を示す。図６（ｂ）は、記録モードＤによりドットを形成した場合の一例であり、第１，第１７，第４１，第５７と、それに隣接するドットとの関係を示す。図６（ａ）の場合には、ドットＤ１，Ｄ２１，Ｄ４１，Ｄ６１と、それらに隣接するドットが重なり合っているために、記録画像中に黒スジが生じやすい。また図６（ｂ）の場合には、ドットＤ１７、Ｄ５７と、それらに隣接するドットとの重なりが小さいために、図６（ａ）の場合に比べてスジは発生しにくい。
【００３７】
このように、記録モードＣ，Ｄでは記録品位が異なるため、第１の実施形態の場合と同様に、それぞれの記録モードＣ，Ｄによってチェックパターンを記録し、その記録結果を見て、使用者が記録品位の良好な記録モードを選択して、高品位の画像を記録することができる。
【００３８】
また、記録モードＣ，Ｄの他に、例えば、各パスにおける紙送り量を８ノズル分−１６ノズル分−２４ノズル分−３２ノズル分とする記録モードなどを加えて、３つ以上の記録モードの中から最適な記録モードを選択するようにしてもよい。
【００３９】
また、前述した第１の実施形態の場合と同様に、記録時間等に差を生じることなく、記録装置の使用者が感じる記録動作を全く同一としたまま、より良好な記録モードによって高品位の画像を記録することができる。また、記録ヘッドの製造時の検査においては、マルチパスの複数の記録モードのいずれかにおいて良好な記録ができるものであれば良品とすることができ、記録ヘッドの製造歩留まりが向上して、製造コストを低減することができる。
【００４０】
（他の実施形態）
上記の実施形態においては、記録ヘッドの交換時に記録モードを設定するようにしたが、記録品位が悪化した時などに、随時、図１のような記録モード設定シーケンスを実施することにより、記録品位が経時変化しても常に最適の記録モードを選択することが可能となる。
【００４１】
また上記の実施形態においては、記録装置の使用者がチェックパターンの記録結果を見て最適な記録モードを設定していたが、記録装置本体に備えた読取り手段によりチェックパターンを読み取って、その読取結果に基づいて自動的に最適な記録モードを設定するようにしてもよい。このような自動的に記録モードを設定する場合には、チェックパターンを実際のマルチパス記録ではなく、各ノズルから吐出されるインク滴の着弾位置を測定することにより、それぞれのマルチパスの記録モードにおける記録品位を予測して、最適な記録モードを設定することも可能である。
【００４２】
また、記録ヘッドとしては、インクを吐出する記録素子の他、種々の記録素子を備えた記録ヘッドを用いることができる。
【００４３】
【発明の効果】
以上説明したように、本発明によれば、マルチパス記録が可能な記録装置において、マルチパス記録の複数の記録モードによる画像の記録品位をチェックするためのチェックパターンを記録することにより、最適な記録モードを選択して、その最適な記録モードに基づいて、高品位の画像を記録することができる。しかも、複数の記録モードのいずれかにおいて良好な記録ができる記録ヘッドを良品とすることができるため、記録ヘッドの製造歩留まりを向上させて、その製造コストを低減することができる。
【００４４】
また、記録時間等に差を生じることなく、記録装置の使用者が感じる記録動作を全く同一とする複数の記録モードの中から、より良好な記録モードを選択することによって、使用者に記録モードの変更に伴なう違和感を与えることなく、高品位の画像を記録することができる。
【図面の簡単な説明】
【図１】本発明の第１の実施形態における記録モード設定シーケンスを説明するためのフローチャートである。
【図２】本発明の第１の実施形態におけるチェックパターンの記録例の説明図である。
【図３】図２のチェックパターンの更に詳細な説明図である。
【図４】（ａ），（ｂ）は、本発明の第１の実施形態において選択可能な異なる記録モードの説明図である。
【図５】（ａ），（ｂ）は、本発明の第２の実施形態において選択可能な異なる記録モードの説明図である。
【図６】（ａ），（ｂ）は、図５（ａ），（ｂ）の記録モードによる記録例の説明図である。
【図７】本発明を適用可能な記録ヘッドの一部切り欠き斜視図である。
【図８】本発明を適用可能な記録装置の概略斜視図である。
【図９】図８の記録装置における制御系のブロック構成図である。
【符号の説明】
１０  記録ヘッド
５０  記録装置
５１，５２  ガイド軸
５３  キャリッジ
５４  インクタンク
５５  挿入口
５６  送りローラ
５７  プラテン
５８  回復系ユニット（回復処理手段）
１００  ＣＰＵ
１０１  ＲＯＭ
１０２  ＲＡＭ１０２
１０Ａ  ヘッドドライバ
１０３  キャリッジモータ
１０３Ａ  モータドライバ
１０４  Ｐ．Ｆモータ
１０４Ａ  モータドライバ１０４
２００  ホスト装置
Ｐ  用紙（被記録媒体）
【図１】
0004646445.tif 000004
【図２】
0004646445.tif 000005
【図３】
0004646445.tif 000006
【図４】
0004646445.tif 000007
【図５】
0004646445.tif 000008
【図６】
0004646445.tif 000009
【図７】
0004646445.tif 000010
【図８】
0004646445.tif 000011
【図９】
0004646445.tif 000012